(57)【要約】【課題】３端子のＬＥＤ装置を２端子に変換する技術を提供する。【解決手段】単一の発光ダイオード又は直列接続された複数の発光ダイオードからなる第一ＬＥＤ群と、単一の発光ダイオード又は直列接続された複数の発光ダイオードからなる第二ＬＥＤ群と、第一ＬＥＤ群と第二ＬＥＤ群のアノード共有又はカソード共有のＬＥＤ共通端子とを含み、ＬＥＤ群の両端端子を含む３端子を有するＬＥＤ３端子回路と、単方向電流規制回路からなる第一規制部と、単方向電流規制回路からなる第二規制部と、第一規制部と第二規制部のアノード共有又はカソード共有接続のＬＥＤ３端子回路と逆極性になるように接続した規制回路共通端子とを含む規制３端子回路とからなり、ＬＥＤ共通端子と規制回路共通端子とが接続され、ＬＥＤ３端子回路の残りの２端子と規制３端子回路の残りの２端子とが各々接続されて２端子回路を構成する。【選択図】図６
2012146646.tif 000002
【特許請求の範囲】
【請求項１】
単一の発光ダイオード又は直列接続された複数の発光ダイオードからなる第一ＬＥＤ群と、単一の発光ダイオード又は直列接続された複数の発光ダイオードからなる第二ＬＥＤ群と、前記第一ＬＥＤ群と前記第二ＬＥＤ群のアノード共有又はカソード共有のＬＥＤ共通端子とを含み、前記ＬＥＤ群の両端端子を含む３端子を有するＬＥＤ３端子回路と、
単方向電流規制回路からなる第一規制部と、単方向電流規制回路からなる第二規制部と、前記第一規制部と前記第二規制部のアノード共有又はカソード共有接続の前記ＬＥＤ３端子回路と逆極性になるように接続した規制回路共通端子とを含む規制３端子回路とからなり、
前記ＬＥＤ共通端子と前記規制回路共通端子とが接続され、
前記ＬＥＤ３端子回路の残りの２端子と前記規制３端子回路の残りの２端子とが各々接続されて２端子回路を構成するＬＥＤ発光デバイス。
【請求項２】
前記第一規制部及び前記第二規制部は、ダイオード、ツェナーダイオードのうち何れか一つを含む請求項１に記載のＬＥＤ発光デバイス。
【請求項３】
前記第一規制部及び前記第二規制部は、定電流回路を含む請求項１又は２に記載のＬＥＤ発光デバイス。
【請求項４】
前記第一ＬＥＤ群と前記第二ＬＥＤ群は、夫々発光波長が異なる請求項１から３の何れか１項に記載のＬＥＤ発光デバイス。
【請求項５】
前記第一ＬＥＤ群と前記第二ＬＥＤ群は、夫々色度が異なる光を発する請求項１から４の何れか１項に記載のＬＥＤ発光デバイス。
【請求項６】
電力源と前記ＬＥＤ共通端子との間に位置し、前記ＬＥＤ共通端子に電流を供給するスイッチを更に備える、請求項１から５の何れか１項に記載のＬＥＤ発光デバイス。
【請求項７】
単一の発光ダイオード又は直列接続された複数の発光ダイオードからなる第一ＬＥＤ群と、単一の発光ダイオード又は直列接続された複数の発光ダイオードからなる第二ＬＥＤ群と、前記第一ＬＥＤ群と前記第二ＬＥＤ群のアノード共有又はカソード共有のＬＥＤ共通端子とを含み、前記ＬＥＤ群の両端端子を含む３端子を有するＬＥＤ３端子回路と接続される端子数変換器であって、
単方向電流規制回路からなる第一規制部と、単方向電流規制回路からなる第二規制部と、前記第一規制部と前記第二規制部のアノード共有又はカソード共有接続の前記ＬＥＤ３端子回路と逆極性になるように接続した規制回路共通端子とを含む規制３端子回路とからなり、
前記ＬＥＤ３端子回路のＬＥＤ共通端子と前記規制３端子回路の規制回路共通端子とが接続され、
前記ＬＥＤ３端子回路の残りの２端子と前記規制３端子回路の残りの２端子とが各々接続されて前記ＬＥＤ３端子回路を２端子回路として機能させる端子数変換器。
【請求項８】
請求項１から６の何れか１項に記載のＬＥＤ発光デバイスを含むＬＥＤ照明装置。
【発明の詳細な説明】
【技術分野】
【０００１】
本発明は、ＬＥＤ発光デバイス、端子数変換器、及び照明装置に関する。
【背景技術】
【０００２】
昨今においては、省エネルギー性やその他の様々な目的のために、従来の照明装置に代えて半導体発光素子である発光ダイオード（ＬＥＤ：Light Emitting Diode）を用いた照明装置が広く提案されてきている。ＬＥＤ照明装置に望まれている機能のひとつに調色機能がある。調色可能な照明装置の光源への適用を目的として、生成する白色光の色温度が異なる２つの白色光生成系を１つのパッケージに収めた白色ＬＥＤと、該白色ＬＥＤを用いた発光モジュールが提案されている（例えば、特許文献１を参照）。
【０００３】
また、特許文献２には、ＬＥＤのアノード側に逆流防止用ダイオードとＬＥＤの順電流を制限する為の抵抗を介して電源電圧に接続し、それらと並列接続となるようにスイッチ回路と順電流を制限する為の抵抗を介して電源電圧を接続させる技術が開示されている。
【先行技術文献】
【特許文献】
【０００４】
【特許文献１】特開２００９−２３１５２５号公報
【特許文献２】特開２００１−４５４０６号公報
【発明の概要】
【発明が解決しようとする課題】
【０００５】
図１は、アノードを共通端子とする３端子のＬＥＤ照明装置の従来技術の一例である。この従来技術に係るＬＥＤ照明装置は、第一ＬＥＤ群（例えば、高色温度群）と、第二ＬＥＤ群（例えば低色温度群）とがアノード側で直列接続されている。このようなＬＥＤ照明装置では、第一ＬＥＤ群と第二ＬＥＤ群の夫々に流す電流を変化させることで、色温度の可変、調整が可能である。
【０００６】
ここで、昨今においては、省エネルギー性やその他の様々な目的のために、従来の照明装置（白熱電球や蛍光灯）に代えてＬＥＤ照明装置が導入されつつある。ＬＥＤ照明装置を、既存の照明装置に代えて導入する場合のように、既存の２本の給電線が予め用意されている場合には、給電線をさらに１本増やすための工事などを行わなければ、３端子のＬＥＤ照明装置を使用することはできない。このような、配線工事の必要性は、ＬＥＤ照明装置導入の障害となり、ＬＥＤ照明装置普及の障害ともなる。また、通常、負荷は２本の給電線からの電力を受けて動作するものが多く、３本の給電線を必要とする負荷は使い勝手が悪い。このような問題は、ＬＥＤ照明装置に限らず、ＬＥＤ装置全般（例えば、ＬＥＤチップ、ＬＥＤモジュール）について言えることである。
【０００７】
本発明は上記事情に鑑みなされたものであり、３端子のＬＥＤ装置を２端子に変換する技術を提供することを課題とする。
【課題を解決するための手段】
【０００８】
本発明では、上述した課題を解決するため、以下の手段を採用する。すなわち、本発明に係るＬＥＤ発光デバイスは、単一の発光ダイオード又は直列接続された複数の発光ダイオードからなる第一ＬＥＤ群と、単一の発光ダイオード又は直列接続された複数の発光ダイオードからなる第二ＬＥＤ群と、前記第一ＬＥＤ群と前記第二ＬＥＤ群のアノード共有又はカソード共有のＬＥＤ共通端子とを含み、前記ＬＥＤ群の両端端子を含む３端子を有
するＬＥＤ３端子回路と、単方向電流規制回路からなる第一規制部と、単方向電流規制回路からなる第二規制部と、前記第一規制部と前記第二規制部のアノード共有又はカソード共有接続の前記ＬＥＤ３端子回路と逆極性になるように接続した規制回路共通端子とを含む規制３端子回路とからなり、前記ＬＥＤ共通端子と前記規制回路共通端子とが接続され、前記ＬＥＤ３端子回路の残りの２端子と前記規制３端子回路の残りの２端子とが各々接続されて２端子回路を構成することで構成される。
【０００９】
本発明に係るＬＥＤ発光デバイスは、ＬＥＤ共通端子と規制回路共通端子とが接続され、ＬＥＤ３端子回路の残りの２端子と規制３端子回路の残りの２端子とが各々接続されることで、２端子回路となる。その結果、既存の２本の給電線が予め用意されている場合においても、給電線をさらに１本増やすための工事を行うことなく、ＬＥＤ発光デバイスを含むＬＥＤ照明装置を取り付けることができる。そして、一対（二つ）の端子間の一方に交流電流が供給され、例えば、交流の正の半サイクルにおいて、第一規制部又は第二規制部のうちの一方の規制部によって一方の半サイクルにおける正の電流の流れが規制され、第一ＬＥＤ群及び第二ＬＥＤ群の何れか一方のＬＥＤ群に電流が流れ、負の半サイクルにおいて、他方の規制部によって他方の半サイクルにおける正の電流の流れが規制され、他方のＬＥＤ群に電流が流れることで、第一ＬＥＤ群及び第二ＬＥＤ群が正負のサイクル毎に点灯する。このように構成されるＬＥＤ発光デバイスにおいて、例えば、交流による正負の各半サイクルで第一ＬＥＤ群及び第二ＬＥＤ群に供給される駆動電流の合計値の大きさを調整することでＬＥＤ発光デバイス全体として発する白色光の輝度（発光量）を調整することができる。また、第一ＬＥＤ群及び第二ＬＥＤ群に対する駆動電流の供給比率を変更することで、ＬＥＤ発光デバイス全体として発する白色光の色度を調整することができる。
【００１０】
ここで、各規制部は、電流の流れを規制する整流機能、過電流においてＬＥＤ発光デバイスを保護する保護機能、一定電流が流れるようにする定電流機能のうち少なくとも何れか一つの機能を有する素子や回路によって構成することができる。例えば、各規制部には、ダイオード、ツェナーダイオードが例示される。規制部にダイオードを用いることで、電流の流れを規制することができる。また、単方向電流規制回路にツェナーダイオードを用いることで、過電流からＬＥＤ発光デバイスを保護することができる。なお、各規制部は、定電流回路を含む構成としてもよい。定電流回路を含む構成とすることで、ＬＥＤ発光デバイスに一定電流を流すことができる。定電流回路に代えて例えばオペアンプ等を用いることもできるが、例えばトランジスタを含む定電流回路はオペアンプに比べ経済性に優れている。
【００１１】
ここで、第一ＬＥＤ群と第二ＬＥＤ群は、夫々異なる発光スペクトルを発する（発光波長が異なる）ＬＥＤ素子としてもよい。また、前記第一ＬＥＤ群と前記第二ＬＥＤ群は、夫々色度（色度は、色相、色温度等を含む概念であり以下同様。）が異なるものとしてもよい。各ＬＥＤ群を構成するＬＥＤ素子に発光波長域が異なる素子を用いることで、各ＬＥＤ群から異なる発光スペクトルを発することができる。例えば、一方のＬＥＤ群を構成するＬＥＤ素子に所定の発光波長の光で刺激（励起）すると所定の色度の白色を発光する蛍光体を埋めむことができ、他方のＬＥＤ群を構成するＬＥＤ素子に所定の発光波長の光で刺激（励起）すると所定の色度と異なる色度の白色を発光する蛍光体を埋めこむことができる。そして、各ＬＥＤ発光デバイスでは、交流電源による正負の各半サイクルで第一ＬＥＤ群及び第二ＬＥＤ群に供給される駆動電流の合計値の大きさを増減することで、ＬＥＤ発光デバイス全体として発する白色光の輝度（発光量）を調整することができる。また、第一ＬＥＤ群及び第二ＬＥＤ群に対する駆動電流の供給比率を変更することで、ＬＥＤ発光デバイス全体として発する白色光の色度を調整することができる。
【００１２】
ここで、本発明に係るＬＥＤ発光デバイスは、電力源と前記ＬＥＤ共通端子との間に位
置し、前記ＬＥＤ共通端子に電流を供給するスイッチを更に備える構成としてもよい。先に説明したＬＥＤ発光デバイスでは、第一ＬＥＤ群と第二ＬＥＤ群とが交互に点灯する。これに対し、本発明に係るＬＥＤ発光デバイスでは、スイッチによって第一ＬＥＤ群と第二ＬＥＤ群の双方へ電流が供給される状態とすることで、第一ＬＥＤ群と第二ＬＥＤ群を同時に点灯することができる。
【００１３】
なお、本発明は、上述したＬＥＤ発光デバイスの一部を構成する端子数変換器として特定することもできる。具体的には、本発明は、単一の発光ダイオード又は直列接続された複数の発光ダイオードからなる第一ＬＥＤ群と、単一の発光ダイオード又は直列接続された複数の発光ダイオードからなる第二ＬＥＤ群と、前記第一ＬＥＤ群と前記第二ＬＥＤ群のアノード共有又はカソード共有のＬＥＤ共通端子とを含み、前記ＬＥＤ群の両端端子を含む３端子を有するＬＥＤ３端子回路と接続される端子数変換器であって、単方向電流規制回路からなる第一規制部と、単方向電流規制回路からなる第二規制部と、前記第一規制部と前記第二規制部のアノード共有又はカソード共有接続の前記ＬＥＤ３端子回路と逆極性になるように接続した規制回路共通端子とを含む規制３端子回路とからなり、前記ＬＥＤ３端子回路のＬＥＤ共通端子と前記規制３端子回路の規制回路共通端子とが接続され、前記ＬＥＤ３端子回路の残りの２端子と前記規制３端子回路の残りの２端子とが各々接続されて前記ＬＥＤ３端子回路を２端子回路として機能させる端子数変換器である。
【００１４】
また、本発明は、上述したＬＥＤ発光デバイスを含むＬＥＤ照明装置として特定することもできる。また、本明細書において、ＬＥＤには、有機エレクトロルミネッセンス（Organic Electro-Luminescence：有機EL）が含まれる。
【発明の効果】
【００１５】
本発明によれば３端子のＬＥＤ装置を２端子に変換する技術を提供することができる。
【図面の簡単な説明】
【００１６】
【図１】アノードを共通端子とする３端子のＬＥＤ照明装置の従来技術の一例である。
【図２】第一実施形態に係るＬＥＤ発光デバイスを示す。
【図３】第二実施形態に係るＬＥＤ発光デバイスを示す。
【図４】第三実施形態に係るＬＥＤ発光デバイスを示す。
【図５】第四実施形態に係るＬＥＤ発光デバイスを示す。
【図６】第五実施形態に係るＬＥＤ発光デバイスを示す。
【図７】第六実施形態における白色ＬＥＤ調光装置（白色調色装置）の回路構成例を示す。
【図８】図８（Ａ）は、調光回路に印加される商用電源波形を示し、図８（Ｂ）は、トリガダイオードに印加される電圧を示す。
【図９】第七実施形態におけるＬＥＤ照明システムの回路構成の概略を示す。
【図１０】図９に示した制御回路の構成例を示す。
【図１１】第七実施形態において輝度（発光量）調整を行う際にＬＥＤ発光デバイスに供給される駆動電流の波形説明図を示す。
【図１２】第七実施形態において色相調整を行う際にＬＥＤ発光デバイスに供給される駆動電流の波形説明図を示す。
【図１３】第八実施形態に係るＬＥＤ発光デバイスを含む全点灯型照明装置の概略構成を示す。
【発明を実施するための形態】
【００１７】
以下に図面を参照して、この発明を実施するための形態を例示的に詳しく説明する。なお、以下に説明する実施形態は例示であり、本発明は実施形態に限定されない。
【００１８】
＜第一実施形態＞
[構成]
図２は、第一実施形態に係るＬＥＤ発光デバイス１０を示す。第一実施形態に係るＬＥＤ発光デバイス１０は、３端子のＬＥＤ装置５００（本発明のＬＥＤ３端子回路に相当する）と、３端子の端子数変換器６００（本発明の規制３端子回路に相当する）とを含む。端子数変換器６００は、３端子のＬＥＤ装置５００を２端子のＬＥＤ装置として動作させることを可能とする。端子数変換器６００は、ＬＥＤ発光デバイス１０に予め組み込まれていてもよく、また、既存の３端子のＬＥＤ装置５００に取り付けて用いる別部品や、予めＬＥＤ発光デバイス１０に組み込まれている端子数変換器６００の交換部品として用いることもできる。
【００１９】
[３端子のＬＥＤ装置]
３端子のＬＥＤ装置５００は、第一ＬＥＤ群５０１、第二ＬＥＤ群５０２、アノード共通端子５０３（本発明のＬＥＤ共通端子に相当する）、第一ＬＥＤ群５０１のカソード側端子５０４、第二ＬＥＤ群のカソード側端子５０５、及び配線を有する。第一ＬＥＤ群５０１と第二ＬＥＤ群５０２とは、アノード共通端子５０３を介して直列接続されている。第一ＬＥＤ群５０１及び第二ＬＥＤ群５０２は、夫々所定数のＬＥＤ素子からなる。
【００２０】
[端子数変換器]
第一実施形態に係る端子数変換器６００は、第一端子６０１、第二端子６０２、第三端子６０３、第一ダイオード６０４、第二ダイオード６０５を備える。第一端子６０１は、第一ダイオード６０４のアノード側に位置し、交流電流における一方の半サイクルにおいて正の電流が入力される。第二端子６０２は、第二ダイオード６０５のアノード側に位置し、他方の半サイクルにおいて正の電流が入力される。第三端子６０３（本発明の規制回路共通端子に相当する）は、第一ダイオード６０４と第二ダイオード６０５との間に位置し、アノード共通端子５０３が接続されている。また、第一端子６０１と第一ダイオード６０４との間において、第一ＬＥＤ群５０１のカソード側端子５０４が接続されている。更に、第二端子６０２と第二ダイオード６０５との間において、第二ＬＥＤ群のカソード側端子５０５が接続されている。
【００２１】
[動作]
２つの端子（第一端子６０１、第二端子６０２）間には、交流電源から供給される交流電流が、第一ＬＥＤ群５０１と第二ＬＥＤ群５０２を発光させるための駆動電流として通電される。第一端子６０１から正の電流が入力される場合、正の電流は、第一ダイオード６０４，第三端子６０３，アノード共通端子５０３を通って第二ＬＥＤ群５０２を流れて点灯のために消費され、第二端子６０２から出ていく状態となる。逆に、負の電流は、第二端子６０２、第二ダイオード６０５、第三端子６０３を通って第一ＬＥＤ群５０１を流れて点灯のために消費され、第一端子６０１から出ていく状態となる。このように、ＬＥＤ発光デバイス１０は２端子となっているので、予め用意された２本の給電線にＬＥＤデバイス１０接続し、交流電流で駆動することができる。また、第一端子６０１、第二端子６０２の前段に駆動用の交流電流を生成する変圧回路などを設けることで、所望の交流電圧でＬＥＤ発光デバイス１０を駆動することができる。
【００２２】
ここで、第一ＬＥＤ群５０１を構成するＬＥＤ素子と第二ＬＥＤ群５０２を構成するＬＥＤ素子は、互いに異なるスペクトルの白色光を発する（発光波長域が異なる）ＬＥＤ素子である。例えば、第一ＬＥＤ群５０１を構成するＬＥＤ素子及び第二ＬＥＤ群５０２を構成するＬＥＤ素子の夫々は、発光波長が４１０ｎｍで、順方向電流のときの端子電圧は３．５Ｖである。また、第一ＬＥＤ群５０１を構成するＬＥＤ素子には、発光波長４１０ｎｍの光で刺激（励起）すると約３０００Ｋ（ケルビン）の白色を発光する蛍光体が埋め
込まれている。一方、第二ＬＥＤ群５０２を構成するＬＥＤ素子には、発光波長４１０ｎｍの光で刺激（励起）すると約５０００Ｋ（ケルビン）の白色を発光する蛍光体が埋め込まれている。なお、上記した第一ＬＥＤ群５０１を構成するＬＥＤ素子及び第二ＬＥＤ群５０２を構成するＬＥＤ素子における励起波長、発光する白色光の色度、端子電圧等の各値は例示であり、適宜変更なし得る。また、第一ＬＥＤ群５０１を構成するＬＥＤ素子と、第二ＬＥＤ群５０２を構成するＬＥＤ素子は、同色の光を発するようにされていてもよく、異なる色の光を発するようにされていても良い。同色であっても、上記のように、色度の異なるＬＥＤ群を適用することもできる。
【００２３】
このように構成される第一実施形態に係るＬＥＤ発光デバイス１０では、交流電源による正負の各半サイクルで第一ＬＥＤ群５０１及び第二ＬＥＤ群５０２に供給される駆動電流の合計値の大きさを増減することで、ＬＥＤ発光デバイス１０全体として発する白色光の輝度（発光量）を調整することができる。また、第一ＬＥＤ群５０１及び第二ＬＥＤ群５０２に対する駆動電流の供給比率を変更することで、ＬＥＤ発光デバイス１０全体として発する白色光の色度を調整することができる。
【００２４】
[効果]
以上説明した第一実施形態に係るＬＥＤ発光デバイス１０によれば、３端子のＬＥＤ装置５００を２端子のＬＥＤ装置として動作させることができる。その結果、ＬＥＤ照明装置を既存の照明装置に代えて導入する場合のように、既存の２本の給電線が予め用意されている場合においても、第一実施形態に係るＬＥＤ発光デバイス１０を含むＬＥＤ照明装置によれば、給電線をさらに１本増やすための工事などを行うことなくＬＥＤ照明装置を設置することができる。また、第一実施形態に係るＬＥＤ発光デバイス１０は、交流電流で駆動することができ、第一ＬＥＤ群５０１及び第二ＬＥＤ群５０２の夫々の点灯時間を変化させることで、容易に調色を行うことができる。
【００２５】
＜第二実施形態＞
[構成]
図３は、第二実施形態に係るＬＥＤ発光デバイスを示す。第二実施形態に係るＬＥＤ発光デバイスは、例えば、第一端子６０１や第二端子６０２から過電圧が印加された場合における、第一ＬＥＤ群５０１や第二ＬＥＤ群５０２の過電圧による、ＬＥＤ装置５１０の破損をより確実に防止する。第二実施形態に係る３端子のＬＥＤ装置５００は、第一実施形態に係る３端子のＬＥＤ装置５００と同じである。第二実施形態に係るＬＥＤ発光デバイスでは、第一実施形態に係るＬＥＤ発光デバイス１０の第一ダイオード６０４及び第二ダイオード６０５の代わりに、第一ツェナーダイオード６１１及び第二ツェナーダイオード６１２が夫々用いられている。なお、第一実施形態と同様の構成については、同一符号を付し、詳細な説明は割愛する。
【００２６】
[動作]
２つの端子（第一端子６０１、第二端子６０２）間には、図示しない交流電源から供給される交流電流が、第一ＬＥＤ群５０１と第二ＬＥＤ群５０２を発光させるための駆動電流として通電される。第一端子６０１から正の電流が入力される場合、一方の半サイクルにおける正の電流は、第一ツェナーダイオード６１１，第三端子６０３，アノード共通端子５０３を通って第二ＬＥＤ群５０２を流れて点灯のために消費され、第二端子６０２から出ていく状態となる。万一、第一端子６０１と第二端子６０２との間に過電圧が生じても、第二ツェナーダイオード６１２が降伏することで、ＬＥＤ装置５００の破損を防止することができる。逆に、第二端子６０２からの負の電流は、第二ツェナーダイオード６１２，第三端子６０３，アノード共通端子５０３を通って第一ＬＥＤ群５０１を流れて点灯のために消費され、第一端子６０１から出ていく状態となる。万一、第二端子６０２と第一端子６０１との間に過電圧が生じても、第一ツェナーダイオード６１１が降伏すること
で、ＬＥＤ装置５００の破損を防止することができる。つまり、第二実施形態に係るＬＥＤ発光デバイスでは、第一ツェナーダイオード６１１又は第二ツェナーダイオード６１２が過電圧の発生時に積極的に降伏現象を起こすことで、より適正に第一ＬＥＤ群５０１、第二ＬＥＤ群５０２の保護を図ることができる。そして、第二実施形態においても、３端子のＬＥＤ装置５００を２端子のＬＥＤ発光デバイス１０として使用できるので、予め用意された二本の（一対の）給電線と接続し、交流電流で駆動することができる。また、第一端子６０１、第二端子６０２の前段に駆動用の交流電流を生成する変圧回路などを設けることで、所望の交流電圧によりＬＥＤ装置５００を駆動できる。
【００２７】
なお、第一実施形態に係るＬＥＤ発光デバイス１０と同じく、第一ＬＥＤ群５０１を構成するＬＥＤ素子と第二ＬＥＤ群５０２を構成するＬＥＤ素子は、互いに異なるスペクトルの白色光を発する（発光波長域が異なる）ＬＥＤ素子とすることができる。また、第二実施形態に係るＬＥＤ発光デバイスにおいても、交流電源による正負の各半サイクルで第一ＬＥＤ群５０１及び第二ＬＥＤ群５０２に供給される駆動電流の合計値の大きさを増減することで、ＬＥＤ発光デバイス全体として発する白色光の輝度（発光量）を調整することができる。また、第一ＬＥＤ群５０１及び第二ＬＥＤ群５０２に対する駆動電流の供給比率を変更することで、ＬＥＤ発光デバイス全体として発する白色光の色度を調整することができる。
【００２８】
[効果]
以上説明した第二実施形態に係るＬＥＤ発光デバイスによれば、３端子のＬＥＤ装置５００を２端子のＬＥＤ装置として動作させることができる。その結果、ＬＥＤ照明装置を既存の照明装置に代えて導入する場合のように、既存の２本の給電線が予め用意されている場合においても、第二実施形態に係るＬＥＤ発光デバイスを含むＬＥＤ照明装置によれば、給電線をさらに１本増やすための工事などを行うことなくＬＥＤ照明装置を設置することができる。また、第二実施形態に係るＬＥＤ発光デバイスは、交流電流で駆動することができ、第一ＬＥＤ群５０１及び第二ＬＥＤ群５０２に流れる電流を変化させることで、容易に調色を行うことができる。また、第一ツェナーダイオード６１１又は第二ツェナーダイオード６１２が過電圧の発生時に積極的に降伏現象を起こすことで、より適正に第一ＬＥＤ群５０１、第二ＬＥＤ群５０２の保護、換言するとＬＥＤ発光デバイスの保護を図ることができる。
【００２９】
＜第三実施形態＞
[構成]
図４は、第三実施形態に係るＬＥＤ発光デバイスを示す。第三実施形態に係るＬＥＤ発光デバイスも第一実施形態と同じく、３端子のＬＥＤ装置５００を２端子のＬＥＤ装置として動作させることを可能とする。但し、第三実施形態では、３端子のＬＥＤ装置５００を構成する第一ＬＥＤ群５０１ａと第二ＬＥＤ群５０２ａの配置が異なっている。以下、相違点を中心に説明する。また、第一実施形態と同様の構成については、同一符号を付し、詳細な説明は割愛する。
【００３０】
[３端子のＬＥＤ装置]
第三実施形態に係る３端子のＬＥＤ装置５１０は、第一実施形態におけるアノード共通端子５０３に代えてカソード共通端子５０３ａを有し、第一ＬＥＤ群５０１ａと第二ＬＥＤ群５０２ａの極性が第一実施形態における第一ＬＥＤ群５０１と第二ＬＥＤ群５０２の極性と逆になるように接続されている。
【００３１】
[端子数変換器]
第三実施形態に係る端子数変換器６２０は、第一ダイオード６０４ａと第二ダイオード６０５ａの極性が、第一実施形態に係る端子数変換器６００の極性と逆になるように構成
されている。それ以外の点は、第一実施形態に係る端子数変換器６００の構成と同じであり、第三実施形態に係る端子数変換器６２０は、第一端子６０１、第二端子６０２、第三端子６０３、第一ダイオード６０４ａ、第二ダイオード６０５ａを備える。
【００３２】
[動作]
２つの端子（第一端子６０１、第二端子６０２）間には、交流電源から供給される交流電流が、第一ＬＥＤ群５０１ａと第二ＬＥＤ群５０２ａを発光させるための駆動電流として通電される。第一端子６０１から正の電流が入力される場合、正の電流は、第一ＬＥＤ群５０１ａを流れて点灯のために消費され、その後、カソード共通端子５０３ａ，第三端子６０３，第二ダイオード６０５ａを通って最終的に第二端子６０２から出ていく状態となる。逆に、第二端子６０２からの負の電流は、第二ＬＥＤ群５０２ａを流れて点灯のために消費され、その後、カソード共通端子５０３ａ，第三端子６０３，第一ダイオード６０４を通って最終的に第一端子６０１から出ていく状態となる。このように、第三実施形態に係るＬＥＤ装置５１０も、２端子となっているので、二本の給電線に接続し、交流電流で駆動することができる。
【００３３】
なお、第一実施形態に係るＬＥＤ発光デバイス１０と同じく、第一ＬＥＤ群５０１ａを構成するＬＥＤ素子と第二ＬＥＤ群５０２ａを構成するＬＥＤ素子は、互いに異なるスペクトルの白色光を発する（発光波長域が異なる）ＬＥＤ素子とすることができる。また、第三実施形態に係るＬＥＤ発光デバイスにおいても、交流電源による正負の各半サイクルで第一ＬＥＤ群５０１ａ及び第二ＬＥＤ群５０２ａに供給される平均電流の合計値の大きさを増減することで、ＬＥＤ発光デバイス全体として発する白色光の輝度（発光量）を調整することができる。また、第一ＬＥＤ群５０１ａ及び第二ＬＥＤ群５０２ａに供給される平均電流の比を変更することで、ＬＥＤ発光デバイス全体として発する白色光の色度を調整することができる。
【００３４】
[効果]
以上説明した第三実施形態に係るＬＥＤ発光デバイスによれば、３端子のＬＥＤ装置５１０を２端子のＬＥＤ装置として動作させることができる。その結果、ＬＥＤ照明装置を既存の照明装置に代えて導入する場合のように、既存の２本の給電線が予め用意されている場合においても、第三実施形態に係るＬＥＤ発光デバイスを含むＬＥＤ照明装置によれば、給電線をさらに１本増やすための工事などを行うことなくＬＥＤ照明装置を設置することができる。また、第二実施形態に係るＬＥＤ発光デバイスは、交流電流で駆動することができ、第一ＬＥＤ群５０１ａ及び第二ＬＥＤ群５０２ａに流れる電流を変化させることで、容易に輝度（発光量）及び色度の調整を行うことができる。
【００３５】
＜第四実施形態＞
[構成]
図５は、第四実施形態に係るＬＥＤ発光デバイスを示す。第四実施形態に係るＬＥＤ発光デバイスは、第二実施形態に係るＬＥＤ発光デバイスと同様の機能を有する。すなわち、第四実施形態に係るＬＥＤ発光デバイスは、第一端子６０１や第二端子６０２から過電圧が印加された場合における、第一ＬＥＤ群５０１ａや第二ＬＥＤ群５０２ａの過電圧による、ＬＥＤ装置５１０の破損をより確実に防止するものである。第四実施形態に係る３端子のＬＥＤ装置５１０は、第三実施形態に係る３端子のＬＥＤ装置５１０と同じである。第四実施形態に係るＬＥＤ発光デバイスは、第三実施形態に係るＬＥＤ発光デバイスにおける第一ダイオード６０４ａ及び第二ダイオード６０５ａの夫々に代えて、第一ツェナーダイオード６１１ａ及び第二ツェナーダイオード６１２ａが用いられている。なお、先に説明した実施形態と同様の構成については、同一符号を付し、詳細な説明は割愛する。
【００３６】
[動作]
２つの端子（第一端子６０１、第二端子６０２）間には、交流電源から供給される交流電流が、第一ＬＥＤ群５０１ａと第二ＬＥＤ群５０２ａを発光させるための駆動電流として通電される。第一端子６０１から正の電流が入力される場合、電流は、第一ＬＥＤ群５０１ａを流れて点灯のために消費され、その後、カソード共通端子５０３ａ，第三端子６０３，第二ツェナーダイオード６１２を通って最終的に第二端子６０２から出ていく。万一、第一端子６０１と第二端子６０２間に過電圧が生じても、第一ツェナーダイオード６１１ａが降伏することで、ＬＥＤ装置５１０の破損を防止することができる。逆に、第二端子６０２からの負の電流は、第二ＬＥＤ群５０２ａを流れて点灯のために消費され、その後、カソード共通端子５０３ａ，第三端子６０３，第一ツェナーダイオード６１１ａを通って最終的に第一端子６０１から出ていく。万一、第二端子６０２と第一端子６０１間に過電圧が生じても、第二ダイオード６１２ａが降伏することで、ＬＥＤ装置５１０の破損を防止することができる。このように、第四実施形態に係るＬＥＤ装置５１０も、２端子となっているので、既存の二本の給電線を用いて交流電流で駆動することができる。
【００３７】
なお、第一実施形態に係るＬＥＤ発光デバイス１０と同じく、第一ＬＥＤ群５０１ａを構成するＬＥＤ素子と第二ＬＥＤ群５０２ａを構成するＬＥＤ素子は、互いに異なるスペクトルの白色光を発する（発光波長域が異なる）ＬＥＤ素子とすることができる。また、第四実施形態に係るＬＥＤ発光デバイスにおいても、交流電源による正負の各半サイクルで第一ＬＥＤ群５０１ａ及び第二ＬＥＤ群５０２ａに供給される平均電流の合計値の大きさを増減することで、ＬＥＤ発光デバイス全体として発する白色光の輝度（発光量）を調整することができる。また、第一ＬＥＤ群５０１ａ及び第二ＬＥＤ群５０２ａに供給される平均電流の比を変更することで、ＬＥＤ発光デバイス全体として発する白色光の色度を調整することができる。
【００３８】
[効果]
以上説明した第四実施形態に係るＬＥＤ発光デバイスによれば、３端子のＬＥＤ装置５１０を２端子のＬＥＤ装置として動作させることができる。その結果、ＬＥＤ照明装置を既存の照明装置に代えて導入する場合のように、既存の２本の給電線が予め用意されている場合においても、第四実施形態に係るＬＥＤ発光デバイスを含むＬＥＤ照明装置によれば、給電線をさらに１本増やすための工事などを行うことなくＬＥＤ照明装置を設置することができる。また、第四実施形態に係るＬＥＤ発光デバイスは、交流電流で駆動することができ、第一ＬＥＤ群５０１ａ及び第二ＬＥＤ群５０２ａに流れる電流比を変化させることで、容易に調色を行うことができる。また、電流比が維持される状態で、各ＬＥＤ群に供給される電流を増減することで、色度を維持した状態で輝度（発光量）を変更することができる。また、第一ツェナーダイオード６１１ａ又は第二ツェナーダイオード６１２ａが過電圧の発生時に積極的に降伏現象を起こすことで、より適正に第一ＬＥＤ群５０１ａ、第二ＬＥＤ群５０２ａの保護、換言するとＬＥＤ発光デバイスの保護を図ることができる。
【００３９】
＜第五実施形態＞
[構成]
図６は、第五実施形態に係るＬＥＤ発光デバイスを示す。第五実施形態に係るＬＥＤ発光デバイスは、第一実施形態に係るＬＥＤ発光デバイス１０における第一ダイオード６０４及び第二ダイオード６０５の夫々に直列に接続される定電流回路Ｃ１及び定電流回路Ｃ２を更に備える。
【００４０】
第一定電流回路Ｃ１は、第二ＬＥＤ群５０２に供給される電流値を一定に保つために第二ＬＥＤ群５０２への電流制限を行う。また、第二定電流回路Ｃ２は、第一ＬＥＤ群５０１に供給される電流値を一定に保つために第一ＬＥＤ群５０１への電流制限を行う。図６に示すように、第一定電流回路Ｃ１と第二定電流回路Ｃ２は、逆極性で直列に接続されて
いる。なお、図６における符号Ｄ１、Ｄ２はダイオードである。
【００４１】
第一定電流回路Ｃ１は、二つのトランジスタＴｒ１１，Ｔｒ１２と、二つの抵抗Ｒ１１，Ｒ１２を含んで構成されている。ＬＥＤ発光デバイスに交流電源から交流電流が供給され、例えば第一端子６０１から正の電流が入力されると、ダイオードＤ１には順方向バイアスが掛かり、ダイオードＤ２には逆方向バイアスが掛かる。その結果、交流電流は第一定電流回路Ｃ１を流れるが、第二定電流回路Ｃ２には流れない。
【００４２】
そのときに、トランジスタＴｒ１１のコレクタ電流が増加すると、トランジスタＴｒ１１のエミッタ側に接続されている抵抗Ｒ１１の電位が上昇し、トランジスタＴｒ１２がオンする。これにより、トランジスタＴｒ１１のベース電流が減少し、結果としてトランジスタＴｒ１１のコレクタ電流が減少する。一方、トランジスタＴｒ１１のコレクタ電流が減少した場合には、上記とは逆の動作が起こることで、トランジスタＴｒ１１のコレクタ電流は一定に保たれ負帰還動作を実現する。
【００４３】
一方、第二端子６０２から負の電流が入力されると、ダイオードＤ２には順方向バイアスが掛かり、ダイオードＤ１には逆方向バイアスが掛かるようになる。その結果、交流電流は第二定電流回路Ｃ２を流れ、第一定電流回路Ｃ１には流れない。なお、第二定電流回路Ｃ２は、第一定電流回路Ｃ１と同等の構成であり、二つのトランジスタＴｒ２１，Ｔｒ２２と、二つの抵抗Ｒ２１，Ｒ２２を含んで構成されている。
【００４４】
第二端子６０２から正の電流が入力される場合においてトランジスタＴｒ２１のコレクタ電流が増加すると、トランジスタＴｒ２１のエミッタ側に接続されている抵抗Ｒ２１の電圧が上昇し、トランジスタＴｒ２２がオンする。これにより、トランジスタＴｒ２１のベース電流が減少し、結果としてトランジスタＴｒ２１のコレクタ電流が減少する。一方、トランジスタＴｒ２１のコレクタ電流が減少した場合には、上記とは逆の動作が起こることで、トランジスタＴｒ２１のコレクタ電流は負帰還動作の実現により一定電流に保たれる。以上の定電流動作は、Ｔｒ１２、Ｔｒ２２のベース〜エミッタ電圧が、ｎｐｎ型シリコントランジスタでは、温度に因らず０．７Ｖ一定に保たれることを利用している。なお、上記各トランジスタに代えてＦＥＴ（電界効果トランジスタ）を用いてもよい。
【００４５】
なお、ＬＥＤデバイスを正負の電流が流れる経路は、第一実施形態と同様である。第一実施形態に係るＬＥＤ発光デバイス１０と同じく、第一ＬＥＤ群５０１を構成するＬＥＤ素子と第二ＬＥＤ群５０２を構成するＬＥＤ素子は、互いに異なるスペクトルの白色光を発する（発光波長域が異なる）ＬＥＤ素子とすることができる。また、第五実施形態に係るＬＥＤ発光デバイスにおいても、交流電源による正負の各半サイクルで第一ＬＥＤ群５０１及び第二ＬＥＤ群５０２に供給される平均電流の合計値の大きさを増減することで、ＬＥＤ発光デバイス全体として発する白色光の輝度（発光量）を調整することができる。また、第一ＬＥＤ群５０１及び第二ＬＥＤ群５０２に対する平均電流の比を変更することで、ＬＥＤ発光デバイス全体として発する白色光の色度を調整することができる。
【００４６】
[効果]
以上説明した第五実施形態に係るＬＥＤ発光デバイスによれば、３端子のＬＥＤ装置５００を２端子のＬＥＤ装置として動作させることができる。その結果、ＬＥＤ照明装置を既存の照明装置に代えて導入する場合のように、既存の２本の給電線が予め用意されている場合においても、第五実施形態に係るＬＥＤ発光デバイスを含むＬＥＤ照明装置によれば、給電線をさらに１本増やすための工事などを行うことなくＬＥＤ照明装置を設置することができる。また、第五実施形態に係るＬＥＤ発光デバイスは、交流電流で駆動することができ、第一ＬＥＤ群５０１及び第二ＬＥＤ群５０２に流れる電流を変化させることで、容易に調色を行うことができる。更に、第五実施形態に係るＬＥＤ発光デバイスは、第
一ＬＥＤ群５０１及び第二ＬＥＤ群５０２の各々に一定電流を供給するための第一定電流回路Ｃ１及び第二定電流回路Ｃ２を備えたので、第一ＬＥＤ群５０１及び第二ＬＥＤ群５０２の発光状態のばらつきを抑え、安定した発光状態とすることができる。
【００４７】
[第六実施形態]
第六実施形態では、第一実施形態に係るＬＥＤ発光デバイス１０（ＬＥＤ装置５００及び端子数変換器６００）を白色ＬＥＤ調光装置（白色調色装置）に適用した例について説明する。図７は、第六実施形態における白色ＬＥＤ調光装置（白色調色装置）の回路構成例を示す。図７において、ＬＥＤ調光回路は、ＬＥＤ装置５００の発光により得られる白色照明光の色相を調整する。本実施形態における白色ＬＥＤ調光装置には、上述した第二から第五実施形態に係るＬＥＤ発光デバイスも好適に適用することができる。
【００４８】
ここに、ＬＥＤ装置５００は、サファイヤ基板上に製作された発光ダイオード群であり、第一ＬＥＤ群５０１及び第二ＬＥＤ群５０２によって構成されている。第六実施形態では、例えば、第一ＬＥＤ群５０１には交流の正の半サイクルで正の駆動電流が供給される一方で、第二ＬＥＤ群５０２には、交流の負の半サイクルで負の駆動電流が供給されるように回路接続されている。
【００４９】
第一ＬＥＤ群５０１に含まれるＬＥＤ素子の夫々は、発光波長が４１０ｎｍで、順方向電流のときの端子電圧は３．５Ｖ、ＬＥＤ素子を２０個直列に接続した場合には、７０Ｖの直流で最大光量を発生する。
【００５０】
第一ＬＥＤ群５０１のＬＥＤ素子には、発光波長４１０ｎｍの光で刺激（励起）すると約３０００Ｋの白色を発光する蛍光体が埋め込まれており、交流の正負の一方の半サイクルで点灯する。
【００５１】
これに対し、第二ＬＥＤ群５０２を構成するＬＥＤ素子は、発光波長４１０ｎｍの光で刺激（励起）すると約５０００Ｋの白色を発光する蛍光体が埋め込まれており、交流の正負の他方の半サイクルで点灯する。
【００５２】
なお、各ＬＥＤ群を構成する複数のＬＥＤ素子の数は適宜変更可能であり、一つのＬＥＤ素子であっても良い。また、第一ＬＥＤ群５０１及び第二ＬＥＤ群５０２が発する白色光は、相互に異なる必要があるが、色度（発光波長領域）は適宜選択可能である。
【００５３】
端子数変換器６００は、３端子のＬＥＤ装置５００を２端子のＬＥＤ装置として動作させる。
【００５４】
調光回路は、交流電源入力端子１と、トライアック３０と、トリガダイオード４０と、時定数回路５０と、ヒステリシス除去回路７０と、保護回路８０と有している。
【００５５】
交流電源入力端子１は、商用電源（交流１００Ｖ）からの電力を調光回路内に供給するための端子であり、商用電源に接続するためのプラグを含む。入力端子１の一方は、端子数変換器６００の第一端子６０１に接続されている。
【００５６】
トライアック３０は、ＬＥＤ装置５００の第二端子６０２に接続されており、第一ＬＥＤ群、第二ＬＥＤ群５０２に対する交流１サイクル中の通電期間において、交流電源入力端子１から入力された交流電流を通電する。トライアック３０は、半サイクルの或る時点でオン（点弧）すると、当該半サイクルが終了するまで第二端子６０２に対して正又は負の電流を供給し続ける。
【００５７】
トリガダイオード４０は、トライアック３０が点弧するためのトリガ信号をトライアック３０に供給する。
【００５８】
時定数回路５０は、トリガダイオード４０がトライアック３０にトリガ信号を供給するタイミングを制御する。時定数回路５０は、直列接続されたダイオード５１，抵抗器５２，及び可変抵抗器５３と、直列接続されたダイオード６１，抵抗器６２，可変抵抗器６３と、キャパシタ（コンデンサ）５４とを有し、トリガダイオード４０に接続されている。可変抵抗器５３，６３には、これらの抵抗値を個別に調整するための操作部（つまみなど）が設けられる。
【００５９】
抵抗器５２，可変抵抗器５３及びキャパシタ５４は、交流の正の半サイクル（サイクル前半）においてトリガダイオード４０への印加電圧をチャージするＣＲ時定数回路を構成し、これらの抵抗値及び容量値で決まる時定数に従ってトリガダイオード４０をオンにする。ダイオード５１は、逆流防止用のダイオードである。一方、抵抗器６２，可変抵抗器６３及びキャパシタ５４は、交流の負の半サイクル（サイクル後半）においてトリガダイオード４０への印加電圧をチャージするＣＲ時定数回路を構成し、これらの抵抗値及び容量値で決まる時定数に従ってトリガダイオード４０をオンにする。
【００６０】
図８（Ａ）は、調光回路に印加される商用電源波形を示し、図８（Ｂ）は、トリガダイオード４０に印加される電圧（キャパシタ５４に対する電荷のチャージの様子）を示す。図８（Ａ）に示すように、調光回路には、サインカーブの交流電圧が印加される。正の半サイクルにおいて、電圧印加の開始と同時に、時定数回路５０のキャパシタ５４に対する正のチャージが開始され、キャパシタ５４にチャージされた電荷が所定量になる時間ｔ１で、トリガダイオード４０がトリガ信号をトライアック３０に供給し、トライアック３０が点弧し、ＬＥＤ装置５００に対する正の電流供給を開始する。電流供給は半サイクルの終了まで継続される。負の半サイクルでは、正の半サイクルと極性を反対にした同様の動作が行われ、時間ｔ２でトライアック３０が点弧し、負の電流がＬＥＤ装置５００に供給される。
【００６１】
このように、正負の各半サイクルで、時定数回路５０の時定数に従ったタイミングでトライアック３０が点弧し、ＬＥＤ装置５００に対して駆動電流を供給する。図８（Ａ）の斜線部分が、正負の半サイクルでＬＥＤ装置５００に供給される電圧（電流）を示す。時定数は、可変抵抗器５３，６３の抵抗値によって変化する。すなわち、可変抵抗器５３の抵抗値が小さくなる程、時定数は小さくなり、トライアック３０が点弧するタイミングが早まる。このように、可変抵抗器５３，６３の抵抗値を変化させることで、第一ＬＥＤ群５０１、第二ＬＥＤ群５０２に対する半サイクル中の通電時間、すなわち電流値を可変にすることができる。可変抵抗器５３，６３の抵抗値は個別に操作可能である。よって、第六実施形態の調光回路では、正負の半サイクルにおける通電時間を個別に制御（調整）することができる。
【００６２】
ヒステリシス除去回路７０は、交流の正負の半サイクルの終了までにキャパシタ５４にチャージされた残留電荷を除去して、ヒステリシスを除去するための回路である。
【００６３】
保護回路８０は、ＬＥＤ装置５００及びトライアック３０に対して並列接続されており、その一端は第一端子６０１に接続され、一方は接地されている。保護回路８０は、ツェナーダイオード８１，８２を有しており、インパルスやサージが発生したときに降伏してＬＥＤ発光デバイス１０（ＬＥＤ装置５００）を保護する。
【００６４】
次に、調光回路の動作例（操作例）について説明する。最初に、可変抵抗器５３，６３の操作部を操作して、これらの各抵抗値を最大値に設定する。交流電点入力端子１を図示
しない商用電源１００Ｖに接続する。すると、調光回路には、交流電圧（交流電流）が供給される状態となる。
【００６５】
すると、ＬＥＤ装置５００（負荷）には、図８（Ａ）の斜線で示す電流が流れる。これにより、各第一ＬＥＤ群５０１、第二ＬＥＤ群５０２は、各半サイクルの後半部分で間欠的に発光し、人間の目には暗く点灯したように感じる。
【００６６】
次に、可変抵抗器５３の操作部を操作して抵抗値を減少させると、トライアック３０の点弧タイミングが早まり、交流電流の正の半サイクルにおける平均電流値が増加し、人間の目にはやや明るく点灯したように感じる。
【００６７】
さらに、可変抵抗器６３の操作部を操作して抵抗値を減少させると、交流電流の負の半サイクルにおける平均電流値が増加し、人間の目にはさらに明るく点灯したように感じる。このとき、第一ＬＥＤ群５０１から照射される３０００Ｋの白色の発光が、ＬＥＤ装置５００の光量全体の主要な割合を占めるので、第一ＬＥＤ群５０１のみの点灯時よりも明るいだけでなく、色度が上昇したように感じる。
【００６８】
以上説明したように、第六実施形態によれば、異なる色度を有する第一ＬＥＤ群５０１、第二ＬＥＤ群５０２を、交流の各半サイクルに対応する個別の可変抵抗器５３，６３で個別に制御できるので、ＬＥＤ装置５００から発せられる光の色度を３０００Ｋから５０００Ｋの間で、任意の色度に調整することができる。
【００６９】
＜第七実施形態＞
次に、第七実施形態について説明する。ここでは、第一実施形態において説明したＬＥＤ発光デバイスをＬＥＤ照明システムＬＳに実装する形態について例示的に詳しく説明する。本実施形態におけるＬＥＤ照明システムＬＳには、上述した第二から第五実施形態に係るＬＥＤ発光デバイスも好適に適用することができる。
【００７０】
次に、第七実施形態に係るＬＥＤ照明システムＬＳについて説明する。本ＬＥＤ照明システムＬＳは、調光装置Ｄｍに電源からの二本一対の給電線が接続され、調光装置ＤｍとＬＥＤ発光デバイス１０とが二本一対の給電線（駆動電流供給線）で接続される配線構造を有する。本実施形態に係る照明システムＬＳは、調光装置Ｄｍの設置位置に電源（商用電源）から一対の引き込み線が引き込まれており、かつ、調光装置Ｄｍの設置位置とＬＥＤ発光デバイス１０の設置配置との間に、二本一対の給電線が予め敷設されている建築物に好適に適用される。このような場合には、調光装置Ｄｍに搭載した制御回路で調整したＬＥＤ発光デバイス１０に供給することができる。
【００７１】
図９は、第七実施形態におけるＬＥＤ照明システムの回路構成の概略を示す図であり、図１０は、図９に示した制御回路の構成例を示す図である。図９には、二点鎖線で表された仮想線４０３を境界として電気配線設置空間（仮想線４０３の上側）と、電気配線が接続される調光装置Ｄｍ（調光ボックス）及びＬＥＤ発光デバイス１０が配置されるＬＥＤ照明システムＬＳの設置空間（仮想線４０３の下側）とが図示されている。
【００７２】
電気配線設置空間は、通常、壁内や天井裏に設けられ、壁や天井によってＬＥＤ照明システムＬＳの設置空間と隔絶される。図９に示す例では、電気配線設置空間には、商用電源（例えば、交流１００Ｖ，５０Ｈｚ）が供給される一対の商用電源母線４００と、一対の照明装置用給電線４０１（４０１ａ，４０１ｂ）と、商用電源母線４００から引き出された一対の照明装置点滅用の引き込み線４０２とが配線されている。
【００７３】
引き込み線４０２は、調光装置Ｄｍが有する入力側の一対の端子Ｔ１，Ｔ２と接続され
る。調光装置Ｄｍは、出力側の一対の端子Ｔ３，Ｔ４を有しており、端子Ｔ３，Ｔ４は、照明装置用給電線４０１（４０１ａ，４０１ｂ）と接続される。一方、照明器装置給電線４０１には、一対の端子（第一端子６０１，第二端子６０２）を有するＬＥＤ発光デバイス１０が接続される。ＬＥＤ発光デバイス１０は、第一実施形態で説明したＬＥＤ発光デバイス１０と同様である。
【００７４】
調光装置Ｄｍは、端子Ｔ１，Ｔ２から供給される商用電源からの交流電圧を受電する。調光装置Ｄｍは、全波整流形の直流電源供給回路（以下、「電源回路」と略称する）４１２を有する。調光装置Ｄｍは、この電源回路４１２により、負荷の導通状態に関わらず安定した直流電源を提供することができる。電源回路４１２は、直流電源供給線４１４，４１５を介して制御回路４１３に接続されている。商用交流電源が実効値１００Ｖである場合には、電源回路４１２は、給電線４１４，４１５を介し、無負荷時に略１４０Ｖの直流電圧を供給する直流電源となる。
【００７５】
図１０に示すように、制御回路４１３は、操作部４１６に接続された操作量検出部４１７と、制御装置４２０と、駆動装置４３０とを備えている。駆動装置４３０は、駆動論理回路（制御回路）４３１と、Ｈ型ブリッジ回路である駆動回路４３２とを含む。駆動回路４３２の出力端子は、端子Ｔ３，Ｔ４に接続され、照明器装置給電線４０１を介してＬＥＤ発光デバイス１０に接続されている。ＬＥＤ発光デバイス１０については、第一実施形態において説明した通りであるが、ＬＥＤ発光デバイスは、３端子のＬＥＤ装置５００と、３端子の端子数変換器６００とによって構成されている。そして、端子数変換器６００を備えることで、３端子のＬＥＤ装置５００を２端子のＬＥＤ装置として動作させることを可能としている。ＬＥＤ装置５００は、発光波長域が相互に異なる第一ＬＥＤ群５０１を構成するＬＥＤ素子、第二ＬＥＤ群５０２を構成するＬＥＤ素子、アノード共通端子５０３などによって構成されている。また、端子数変換器６００は、第一端子６０１、第二端子６０２、第三端子６０３、第一ダイオード６０４、第二ダイオード６０５によって構成されている。
【００７６】
操作部４１６は、ＬＥＤ発光デバイス１０が発する光の光量の調整（調光）と色相（色度）の調整（調色）を実施するための操作デバイスである。より具体的には、操作部４１６は、調光用の操作ダイヤル４１６Ａと、調色用の操作ダイヤル４１６Ｂとを含んでいる。ユーザが各ダイヤル４１６Ａ，４１６Ｂを回転させることにより、ＬＥＤ発光デバイス１０の発光量及び発光色（色相）を調整することができる。
【００７７】
操作量検出部４１７は、各操作ダイヤル４１６Ａ，４１６Ｂの操作量であるダイヤルの回転量（回転角度）に応じた信号を出力する信号生成器である。本実施形態では、操作量検出部４１７は、操作ダイヤル４１６Ａの回転量（回転角度）に応じて抵抗値が変動する可変抵抗器４１７Ａと、操作ダイヤル４１６Ｂの回転量（回転角度）に応じて抵抗値が変動する可変抵抗器４１７Ｂとを含んでいる。操作量検出部４１７は、配線４０５を介して電源回路４１２と接続されている。操作量検出部４１７には、電源回路４１２で商用交流電源から生成された所定の直流電圧（例えば、無負荷時で最大５Ｖ）が配線４０５を介して印加される。
【００７８】
操作量検出部４１７と制御装置４２０とを結ぶ配線（信号線）４１８には、可変抵抗器４１７Ａの抵抗値に応じた電圧（例えば、最大５Ｖ）が発生する。一方、操作量検出部４１７と制御装置４２０とを結ぶ配線（信号線）４１９には、可変抵抗器４１７Ｂの抵抗値に応じた電圧（例えば、最大５Ｖ）が発生する。このように操作量検出部４１７は、操作ダイヤル４１６Ａ，４１６Ｂの各操作量に応じた信号電圧を発生する。
【００７９】
なお、操作ダイヤル４１６Ａ，４１６Ｂに代えて、スライドバーが適用可能である。ス
ライドバーが適用される場合、回転量の代わりの移動量に応じた電圧（信号）が操作量検出部４１７で生成される。また、操作量検出部４１７は、可変抵抗値に応じた電圧を制御信号として出力するようにしている。これに代えて、操作ダイヤル４１６Ａ，４１６Ｂの回転量（回転角度）を検出するロータリーエンコーダが設けられ、ロータリーエンコーダの回転量を示すパルスが制御装置４２０に入力されるようにしても良い。この場合、後述するような、電圧をディジタル値に変換するアナログ／ディジタル変換器の設置が省略可能である。
【００８０】
制御装置４２０は、アナログ／ディジタル変換器（Ａ／Ｄ変換器）、マイクロコンピュータ（マイコン：ＭＰ）、レジスタ、タイマ、カウンタ等を組み合わせた制御回路である。マイコンは、例えば、マスター・クロックが図示しない水晶発振子からの動作周波数（例えば４ＭＨｚ）で動作するメモリ内蔵型マイクロプロセッサを適用することができる。但し、これに限定されるものではない。また、マイコンは、図示しない内蔵ＲＯＭ（Read
Only Memory）に記録された動作プログラムを図示しないＲＡＭ（Random Access Memory）にロードし、プログラムに従った処理を実行する。
【００８１】
制御装置４２０のＡ／Ｄ変換器は、信号線４１８に生じた電圧のディジタル値を出力し、そのディジタル値は図示しないレジスタにセットされる。また、Ａ／Ｄ変換器は、信号線４１９に生じた電圧のディジタル値を出力し、そのディジタル値は図示しないレジスタにセットされる。また、制御装置４２０が備えるタイマ及びカウンタは、所望の自励発振周波数（例えば、１ＭＨｚ）で発振するセラミック発振子４２１で駆動されており、制御装置４２０と駆動論理回路４３１とを結ぶ配線４２４，４２５から相補的パルスを、予め設定されたタイミングで自励出力する。この相補的パルスは、例えば、繰り返し周波数が所定の周波数となるように予め設定されている。
【００８２】
制御装置４２０のマイコンは、各レジスタにセットされたディジタル値（操作ダイヤル４１６Ａ，４１６Ｂの操作量）に応じて制御パルス（制御信号）を生成する制御パルス生成処理を行い、生成したパルスを駆動論理回路４３１に供給（出力）する。なお、マイコンが生成したパルス（制御信号）は、配線４２４，４２５を介して駆動論理回路４３１に供給される。
【００８３】
駆動論理回路４３１は、配線４２４，４２５からのパルス（制御信号）供給を受けて、当該制御信号に応じたトランジスタ（スイッチング素子）ＴＲ１〜ＴＲ４のオン／オフ動作（スイッチング動作）を制御する。すなわち、制御回路４３１は、配線４２４及び４２５からのパルス入力がない場合には、トランジスタＴＲ１〜ＴＲ４をオフにする。一方、制御回路４３１は、配線４２４からの正のパルスが入力されている間、トランジスタＴＲ１及びＴＲ４をオンにする一方で、トランジスタＴＲ２及びＴＲ３をオフにする。これによって、電源回路４１２から配線４１４を通じて供給される直流電流がトランジスタＴＲ１を通って給電線４０１ａに流れ、第二ＬＥＤ群５０２の点灯に消費される。その後、電流は給電線４０１ｂ、トランジスタＴＲ４を通って配線４１５へ流れる（接地される）。
【００８４】
これに対し、駆動論理回路４３１は、配線４２５からの負のパルスが入力されている間、トランジスタＴＲ２及びＴＲ３をオンにする一方で、トランジスタＴＲ１及びＴＲ４をオフにする。これによって、電源回路４１２から配線４１４を通じて供給される直流電流がトランジスタＴＲ２を通って配線４０１ｂに流れ、第一ＬＥＤ群５０１の点灯に消費される。その後、電流は配線４０１ａ，トランジスタＴＲ３を通って配線４１５に流れる（接地される）。
【００８５】
従って、ＬＥＤ発光デバイス１０には、制御装置４２０から出力されるパルス（制御信号）と相似形の、正の駆動電流と負の駆動電流とが交互に供給される。言い換えれば、第
一ＬＥＤ群５０１，第二ＬＥＤ群５０２に対し、極性の異なる交流電流が駆動電流として供給される。
【００８６】
図１１は、輝度（発光量）調整を行う際にＬＥＤ発光デバイス１０に供給される駆動電流の波形説明図である。本実施形態では、駆動装置４３０は、１サイクル（周期Ｔ０）において、正の制御信号を供給する期間Ｔ１に正のパルスを出力し、負の制御信号を供給する期間Ｔ２に負のパルスを出力する。調光用の操作ダイヤル４１６Ａが操作されると、制御装置４２０におけるマイコンはパルス幅変調（ＰＷＭ）制御を行う事で、デューティ比を調整する。
【００８７】
ここで、ＬＥＤ発光デバイス１０における第一ＬＥＤ群５０１，第二ＬＥＤ群５０２に対して供給される平均電流は、パルスのオン時間に依存する。すなわち、正負のパルスのオン時間が大きい程、１サイクルにおいて各ＬＥＤ群５０１，５０２に供給される駆動電流の平均電流値が上昇する。逆に、デューティ比が小さくなることでパルスのオン時間が小さくなる程、ＬＥＤ発光デバイス１０の各ＬＥＤ群５０１，５０２に供給される平均電流値は小さくなる。
【００８８】
図１１（ａ）は、デューティ比が１のときのパルスを示す。この場合には、正負のパルス供給期間Ｔ１，Ｔ２のそれぞれにおいて一つのパルスが出力される。また、図１１（ｂ）は、マイコンのＰＷＭ制御により期間Ｔ１，Ｔ２におけるデューティ比を、図１１（ａ）に示す状態に比べて下げた状態を示す。デューティ比の変更によって、複数の正負のパルスが供給される状態となる。さらに、図１１（ｃ）は、図１１（ｂ）に示す状態より更にデューティ比を下げた場合の状態を示す。この場合、正負の各パルスにおけるパルス幅は図１１（ｂ）の状態に比べて更に小さくなる。
【００８９】
図１１（ａ）〜（ｃ）に示す例は、順次、調光用の操作ダイヤル４１６ＡをＬＥＤ発光デバイス１０の発光量を少なくするように操作した様子を示す。このように、操作ダイヤル４１６Ａが操作される場合には、制御装置４２０のマイコンがＰＷＭ制御によりデューティ比を下げることによって、パルスのオン時間が短くなる。その結果、ＬＥＤ発光デバイス１０の第一ＬＥＤ群５０１、第二ＬＥＤ群５０２に供給される平均電流が低下し、第一ＬＥＤ群５０１、第二ＬＥＤ群５０２が出力する発光量が少なくなる。但し、ここでは、１サイクル（正の期間Ｔ１と負の期間Ｔ２）における、パルスのオン時間の比は変わらない。これにより、ＬＥＤ発光デバイス１０の色相（色度）を変えることなく輝度（発光量）を増減することができる。
【００９０】
図１２は、色相調整を行う際にＬＥＤ発光デバイス１０に供給される駆動電流の波形説明図である。操作ダイヤル４１６Ｂが操作された場合における、パルスの状態を図１２（ａ）〜（ｃ）に示す。操作ダイヤル４１６Ｂが操作された場合、制御装置４２０のマイコンは、そのときのパルス幅を変更することなく、１サイクル（周期Ｔ０）における正負のパルス数を変更する。図１２（ａ）において、正負のサイクルにおけるパルス幅は同じであり、正負のサイクルにおけるパルスのオン時間の比は４：３である。
【００９１】
これに対し、図１２（ｂ）では、１周期におけるパルスのオン時間の比が３：４に変更されている。更に、図１２（ｃ）では、１周期における正負のパルスのオン時間の比が２：５に変更されている。このような１周期における正負のパルスのオン時間の比を変更することによって、１サイクルにおける第一ＬＥＤ群５０１及び第二ＬＥＤ群５０２の点灯時間の比が変動する。これによって、第一ＬＥＤ群５０１及び第二ＬＥＤ群５０２のそれぞれ点灯により発せられる合成光の色度（色相）が変更される。
【００９２】
上述した正負のパルスを出力するための繰り返し周波数Ｔ０（自励発振周波数）は、人
の目の感度や、スイッチング損失の防止、ノイズ発生の観点から、例えば、３０Ｈｚ〜５０ｋＨｚの間で定め得る。好ましくは、５０Ｈｚ〜４００Ｈｚである。さらに好ましくは、５０または６０Ｈｚ〜１２０Ｈｚである。自励発振周波数は、商用電源周波数から独立して定め得るが、商用電源周波数と同じ周波数を選択することを妨げない。
【００９３】
なお、図１０に示したように、第七実施形態における制御回路４１３には、積分回路４５０及び４４０が設けられている。積分回路４５０は、第二ＬＥＤ群５０２を駆動するための正の電流の平均値に比例した電圧を制御装置４２０にフィードバックし、積分回路４４０は第一ＬＥＤ群５０１を駆動するための負の電流の平均値に比例した電圧を制御装置４２０にフィードバックする。制御装置４２０は、積分回路４４０，４５０のフィードバック電圧をＡ／Ｄ変換器を用いて観測し、制御信号（パルス）の生成に利用する。
【００９４】
以下、調光装置Ｄｍの動作例について説明する。主電源スイッチ４１１（図９を参照）が閉じられると、電源回路４１２による整流及び電圧変換動作が行われ、制御回路４１３に直流電源が供給される。制御装置４２０のマイコンは、公知の方法で初期化動作を開始し、図示しない内蔵ＲＯＭ（Read Only Memory）に記録された動作プログラムを図示しないＲＡＭ（Random Access Memory）にロードし、プログラムに従った処理を行う。
【００９５】
ＬＥＤ発光デバイス１０の輝度（発光量）を調整する場合には、例えば以下のような操作及び調光装置４１０の動作が行われる。例えば、利用者（ユーザ）が操作ダイヤル（操作ツマミ）４１６Ａを例えば右一杯にまわし、照明の輝度（発光量）を最大に設定すると、信号線４１８には最大５.０ボルトの直流電圧が発生する。制御装置４２０は、信号線
４１８に生じた電圧を内蔵のＡ／Ｄ変換器でディジタル信号に変換して読み取り、駆動回路４３０の駆動論理回路４３１に対し、信号線４２４，４２５を介して制御信号を与える。駆動論理回路４３１は、制御信号に従って駆動回路（Ｈ型ブリッジ）４３２を駆動させる。その際、駆動回路４３２は、予め設定された自励発振周波数である５０Ｈｚで駆動される。
【００９６】
このときの制御信号波形は、図１１（ａ）に示す通りであり、正のパルス（制御信号）のオン時間である時間ｔ１の間、正の電流が給電線４０１ａを流れてＬＥＤ発光デバイス１０における第二ＬＥＤ群５０２を点灯させる。一方、負のパルス（制御信号）のオン時間である時間ｔ２の間、負の電流が給電線４０１ｂを流れてＬＥＤ発光デバイス１０における第一ＬＥＤ群５０１を点灯させる。そして、給電線４０１には、略５０Ｈｚの交流電流が通電するため、ＬＥＤ発光デバイス１０における第一ＬＥＤ群５０１と第二ＬＥＤ群５０２が交互に点灯する。
【００９７】
ここで、時間ｔ１に流れる電流（個別電流）と、時間ｔ２に流れる電流（個別電流）との比がＬＥＤ発光デバイス１０における第一ＬＥＤ群５０１と第二ＬＥＤ群５０２により発せられる合成光の色度を支配することになる。図１１（ａ）に示す状態では、色度の高い第二ＬＥＤ群５０２の点灯時間が第一ＬＥＤ群５０１の点灯時間より長いため、ＬＥＤ発光デバイス１０の発光色は、やや青みがかった白色を呈する。
【００９８】
一方、利用者が操作ダイヤル（調光ツマミ）４１６Ａを左方向にまわし、照明の輝度（発光量）が中央値となるように設定することで、信号線４１８には約２．５ボルトの直流電圧が発生する。この場合、制御装置４２０のマイコンは、内蔵のＡ／Ｄ変換器で電圧をディジタル信号に変換して読み取り、駆動装置４３０の駆動を制御して、ＬＥＤ照明装置２０に対する交流電流を供給する。このときのパルス波形は、図１１（ｂ）に示す状態となる。すなわち、期間Ｔ１における正のパルスのオン時間と期間Ｔ２における負のパルスのオン時間との比は変わらないが、デューティ比が低下しているため、最大輝度（発光量）時における一つのパルスが複数のパルス群となる。ここで、正のパルスのパルス幅と負
のパルスのパルス幅は同じである。これによって、最大輝度（発光量）時よりも平均電流が小さくなるので、ＬＥＤ発光デバイス１０における第一ＬＥＤ群５０１と第二ＬＥＤ群５０２からの出力光の輝度（発光量）は低下する。
【００９９】
その後、利用者が操作ダイヤル（調光ツマミ）４１６Ａをさらに左方向にまわし、照明の輝度（発光量）を最小値に設定する。すると、信号線４１８は約０．５ボルトの直流電圧が発生する。この場合、制御装置４２０のマイコンは、電圧値をＡ／Ｄ変換器で変換して読み取り、電圧値に応じた駆動装置４３０の制御を行う。すなわち、制御装置４２０は、図１１（ｃ）に示すように、期間Ｔ１及びＴ２における、正負のパルスのデューティ比をさらに下げる。これによって、期間Ｔ１における正のパルスのオン時間と期間Ｔ２における負のパルスのオン時間との比は変わらず、かつ各パルスのパルス幅が更に小さくなる。これにより、中央輝度（発光量）時に比べて平均電流が更に小さくなるので、ＬＥＤ発光デバイス１０における第一ＬＥＤ群５０１と第二ＬＥＤ群５０２からの出力光は、共に最も暗い輝度（発光量）となる。
【０１００】
次に、ＬＥＤ発光デバイス１０の色度（色相）を調整する場合における利用者（ユーザ）の操作及び調光装置Ｄｍの動作例について説明する。図１１（ｂ）に示す電流波形は、第二ＬＥＤ群５０２に対する平均電流が第一ＬＥＤ群５０１の平均電流が大きいため、やや青みがかった白色を呈することは先に述べた通りである。ここでは、図１１（ｂ）に示す電流波形がＬＥＤ発光デバイス１０に供給されている状態から、利用者がケルビン温度の低いやや赤みがかった白色への変更を意図した場合について説明する。その場合、利用者は操作ダイヤル（調色ツマミ）４１６Ｂを左に(半時計方向に)回転させる。そうすると、信号線４１９に生じている直流電圧（例えば約４ボルト）が、例えば３.０ボルト程度
に低下する。
【０１０１】
制御装置４２０のマイコンは、Ａ／Ｄ変換器で変換された信号線４１９の直流電圧のディジタル値を読み取り、駆動装置４３０を制御するパルス波形を変更する。例えば、制御装置４２０のマイコンは、駆動装置４３０の駆動論理回路４３１に供給されるパルス波形を、図１１（ｂ）に示す状態から図１２（ａ）に示す状態に変化させる。すなわち、マイコンは、図１１（ｂ）の状態において、５：２であった正の電流（パルス）と負の電流（パルス）におけるオン時間の比を、図１２（ａ）に示すように４：３に変更する。これによって、第二ＬＥＤ群５０２に供給される平均電流が減少し、第一ＬＥＤ群５０１に供給される平均電流が増加する。この結果、ＬＥＤ発光デバイス１０の発光色、すなわち色度はやや低下して赤みがかった白色を呈する。その際、正負のサイクルにおけるパルスのオン時間の比は変化するが、正負のサイクルの各々におけるパルスの合計値（平均電流の合計値）は変化しないので、ＬＥＤ発光デバイス１０の輝度（発光量）は変化しない。
【０１０２】
その後、利用者は、色度の最も低い赤みがかった白色への変更を意図して、操作ダイヤル（色度ツマミ）４１６Ｂを左に(半時計方向に)限界まで回転させる。すると、約３．０ボルトだった信号線４１９の直流電圧は１.０ボルト程度に低下する。そして、制御装置
４２０のマイコンは、ディジタル変換された信号線４１９の直流電圧を検出すると、駆動論理回路２２０を介してフルブリッジドライバ２５０を駆動する制御信号（パルス）を変更する。すなわち、マイコンは、給電線４０１ａを流れる電流波形が図１２（ａ）から図１２（ｂ）を経て図１２（ｃ）に変化するように、駆動装置４３０に制御信号を与える。これによって、第二ＬＥＤ素子群５０２の平均電流がさらに減少する一方で、第一ＬＥＤ群５０１の平均電流がさらに増加する。この結果、ＬＥＤ発光デバイス１０の色度は更に低下して強い赤みがかった白色を呈する。なお、このときもＬＥＤ発光デバイス１０の全体輝度（発光量）は変化しない。
【０１０３】
以上説明したように、本実施形態に係るＬＥＤ照明システムＬＳによれば、商用電源の
ような交流電源からの交流を直流に変換し、その直流から自励発振周波数による所望の周波数の交流（周期Ｔ０毎に供給される正負の電流）を生成し、ＬＥＤ発光デバイス１０における第一ＬＥＤ群５０１及び第二ＬＥＤ群５０２の夫々に駆動電流として供給する。これによって、調光装置Ｄｍの設計の自由度を高めることができる。また、本実施形態に係るＬＥＤ照明システムＬＳによれば、ＬＥＤ発光デバイス１０から出力される合成光の色相（色度）を変えることなく輝度（発光量）（明度）を調整することができ、また、輝度（発光量）（明度）を変えることなく色相（色度）を調整することが可能である。
【０１０４】
＜第八実施形態＞
第八実施形態では、第一実施形態に係るＬＥＤ発光デバイス１０を全点灯型ＬＥＤ照明装置に適用した場合について説明する。ここでは、第七実施形態で説明したＬＥＤ照明システムを全点灯型のＬＥＤ照明装置として機能させる場合について説明する。図１３は、第八実施形態に係るＬＥＤ発光デバイスを含む全点灯型ＬＥＤ照明装置の概略構成を示す。第八実施形態に係る全点灯型ＬＥＤ照明装置は、第七実施形態に係るＬＥＤ照明装置の構成に加えて、直流電源供給線４１４に接続される配線７０１と、この配線７０１に設けられたスイッチ回路７０２とを備える。
【０１０５】
スイッチ回路７０２は、配線７０１を経由して、直流電源供給線４１４に短絡できるようになっている。スイッチ回路７０２は図示しない操作ボタン等により操作可能である。制御装置４２０のマイコンは、各レジスタにセットされたディジタル値（操作ダイヤル４１６Ａ，４１６Ｂの操作量）に応じて制御パルス（制御信号）を生成する制御パルス生成処理を行い、生成したパルスを駆動論理回路４３１に供給（出力）する。なお、マイコンが生成したパルス（制御信号）は、配線４２４，４２５を介して駆動論理回路４３１に供給される。また、第八実施形態では、制御装置４２０は、ＬＥＤ照明装置を通常のＬＥＤ照明装置として機能させる通常モードと、ＬＥＤ照明装置を全点灯型照明装置として機能させるための全点灯モードとを有している。そして、第八実施形態に係る制御装置４２０は、通常モード又は全点灯モードに対応する操作ボタンが選択されたことに応じて対応する制御信号を生成する制御パルス生成処理を行い、生成したパルスを駆動論理回路４３１に出力する。通常モードには、配線４２４及び４２５からのパルス入力がない場合、トランジスタＴＲ１〜ＴＲ４をオフにするモード、配線４２４からの正のパルスが入力されている間、トランジスタＴＲ１及びＴＲ４をオンにする一方で、トランジスタＴＲ２及びＴＲ３をオフにするモードなどが含まれる。すなわち、通常モードには、第一ＬＥＤ群５０１と第二ＬＥＤ群５０２を交互に点灯させるためのモードが含まれる。一方、全点灯モードには、配線４２４からの正のパルスが入力されている間、トランジスタＴＲ３及びＴＲ４をオンにする一方で、トランジスタＴＲ１及びＴＲ２をオフにするモードなどが含まれる。すなわち、全点灯モードには、第一ＬＥＤ群５０１と第二ＬＥＤ群５０２を同時に点灯させるためのモードが含まれる。
【０１０６】
駆動論理回路４３１は、配線４２４，４２５からのパルス（制御信号）供給を受けて、当該制御信号に応じたトランジスタ（スイッチング素子）ＴＲ１〜ＴＲ４のオン／オフ動作（スイッチング動作）を制御する。
【０１０７】
[動作]
第八実施形態に係る全点灯型ＬＥＤ照明装置では、特別な動作として、操作ボタンなどを操作することで全点灯モードに切り替え、スイッチ回路７０２を閉状態とすることで、第一ＬＥＤ群５０１及び第二ＬＥＤ群５０２の双方を同時に点灯することが可能となる。すなわち、全点灯モードが選択されると、制御装置４２０がこれを検知し、全点灯モードに切り替える。具体的には、例えば、配線４２４からの正のパルスが入力されている間、トランジスタＴＲ３及びＴＲ４をオンにする一方で、トランジスタＴＲ１及びＴＲ２をオフとする制御信号を駆動論理回路４３１へ出力する。一方で、スイッチ回路７０２が操作
ボタンなどが操作されることで閉状態となる。駆動論理回路４３１は、配線４２４，４２５からのパルス（制御信号）供給を受けて、当該制御信号に応じたトランジスタ（スイッチング素子）ＴＲ１〜ＴＲ４のオン／オフ動作（スイッチング動作）を制御する。具体的には、駆動論理回路４３１は、配線４２４からの正のパルスが入力されている間、トランジスタＴＲ３及びＴＲ４をオンにする一方で、トランジスタＴＲ１及びＴＲ２をオフとする。その結果、トランジスタＴＲ１，ＴＲ２がオフ、トランジスタＴＲ３，ＴＲ４がオンとなり、スイッチ回路７０２が閉状態となり、正の電流がスイッチ回路７０２を通りアノード共通端子５０３に入力される。アノード共通端子５０３に入力された正の電流は、第一ＬＥＤ群５０１及び第二ＬＥＤ群５０２の双方を通り各ＬＥＤ群が点灯する。第一ＬＥＤ群を通った正の電流は、第一端子６０１，トランジスタＴＲ３を通って出て行く状態となる。また、第二ＬＥＤ群５０２を通った正の電流は、第二端子６０２，トランジスタＴＲ４を通って出て行く状態となる。この動作により、第一ＬＥＤ群５０１と第二ＬＥＤ群５０２の両方が同時に点灯し、交互点灯の通常に比し２倍の光束を発する特別の機能が発揮される。
【０１０８】
なお、上記第八実施形態では、全点灯モードに対応する操作ボタンが選択されることで全点灯モードに切り替えられたが、全点灯モードの切替はスイッチ回路７０２の状態に応じて切り替えるようにしてもよい。例えば、スイッチ回路７０２の状態を検出して全点灯モードに切り替えることができる。具体的には、スイッチ回路７０２にフォトカプラを設け、スイッチ回路７０２が閉状態となり電流が流れると発光ダイオードを光らせその光でフォトトランジスタを動通させる。動通した電流を制御装置４２０に入力することで、制御装置４２０を全点灯モードに切り替えることが可能となる。
【０１０９】
[効果]
以上説明した第八実施形態に係る全点灯型ＬＥＤ照明装置によれば、スイッチ回路７０２を備えることで、第一ＬＥＤ群５０１及び第二ＬＥＤ群５０２の全点灯が可能となる。なお、第八実施形態では、スイッチ回路７０２がＬＥＤ発光デバイス１０側に設けられている。但し、スイッチ回路７０２の設置位置は限定されるものではなく、スイッチ回路７０２は、例えば調光装置側に設けるようにしてもよい。
【０１１０】
以上、本発明の好適な実施形態を説明したが、本発明の本旨を逸脱しない範囲内において上記の実施形態には種々の変更を加え得る。例えば、上記各実施形態の各図に示したトランジスタはバイポーラトランジスタであっても良いし、電界効果トランジスタ（Field effect transistor、FET）に置き換えても良い。また、本発明に係るＬＥＤ発光デバイス、調光装置、ＬＥＤ照明システムは各実施形態に限られず、可能な限りこれらの組み合わせを含むことができる。
【符号の説明】
【０１１１】
５００・・・ＬＥＤ装置
５０１、５０１ａ・・・第一ＬＥＤ群
５０２、５０２ａ・・・第二ＬＥＤ群
５０３・・・アノード共通端子
５０４・・・第一ＬＥＤ群のカソード側端子
５０５・・・第二ＬＥＤ群のカソード側端子
６００・・・端子数変換器
６０１・・・第一端子
６０２・・・第二端子
６０３・・・第三端子
６０４、６０４ａ・・・第一ダイオード
６０５、６０５ａ・・・第二ダイオード
【図１】
2012146646.tif 000003
【図２】
2012146646.tif 000004
【図３】
2012146646.tif 000005
【図４】
2012146646.tif 000006
【図５】
2012146646.tif 000007
【図６】
2012146646.tif 000008
【図７】
2012146646.tif 000009
【図８】
2012146646.tif 000010
【図９】
2012146646.tif 000011
【図１０】
2012146646.tif 000012
【図１１】
2012146646.tif 000013
【図１２】
2012146646.tif 000014
【図１３】
2012146646.tif 000015